(57)【特許請求の範囲】
【請求項１】
トラック上に情報記録領域が設けられ、セクタ情報を示すマーク列がトラック長手方向の中心に対して左右にずれて配置された光記録媒体の光学的情報再生方法であって、
上記情報記録領域の記録情報に対応する反射光を複数の検出器で検出し、該複数の検出器の複数の検出信号に基づいて和信号を生成し、上記マーク列からの反射光から得られる複数の検出信号に基づいて差分信号を生成し、該差分信号のエンベロープ信号のレベルに基づいて上記複数の検出信号あるいは上記和信号のうち一つの信号を選択し、該選択により得られた信号に基づき再生を行うことを特徴とする光学的情報再生方法。
【請求項２】
上記差分信号のエンベロープ信号のレベルが第１のレベル以上の場合には上記複数の検出信号のうち第１の検出信号を選択し、上記差分信号のエンベロープ信号のレベルが前記第1のレベルよりも低いレベルの第２のレベル以下の場合には上記複数の検出信号のうち第２の検出信号を選択し、上記差分信号のエンベロープ信号のレベルが上記第１と第２のレベルの間の場合には上記和信号を選択することを特徴とする請求項１に記載の光学的情報再生方法。
【請求項３】
トラック上に情報記録領域が設けられ、セクタ情報を示すマーク列がトラック長手方向の中心に対して左右にずれて配置された光記録媒体の光学的情報再生装置であって、
上記情報記録領域の記録情報に対応する反射光を検出する複数の検出器と、
該複数の検出器の複数の検出信号に基づいて和信号を生成する加算回路と、
上記マーク列からの反射光から得られる複数の検出信号に基づいて差分信号を生成する差分回路と、
該差分信号のエンベロープ信号のレベルに基づいて上記複数の検出信号あるいは上記和信号のうち一つの信号を選択する選択回路と、
該選択回路の出力信号に基づき再生を行う再生回路とを具備することを特徴とする光学的情報再生装置。
【請求項４】
上記選択回路は、上記差分信号のエンベロープ信号のレベルが第１のレベル以上の場合には上記複数の検出信号のうち第１の検出信号を選択し、上記差分信号のエンベロープ信号のレベルが前記第1のレベルよりも低いレベルの第２のレベル以下の場合には上記複数の検出信号のうち第２の検出信号を選択し、上記差分信号のエンベロープ信号のレベルが上記第１と第２のレベルの間の場合には上記和信号を選択することを特徴とする請求項３に記載の光学的情報再生装置。
【発明の詳細な説明】
【０００１】
【発明の属する技術分野】
本発明は、レーザ光を用いて光学的記録媒体から情報を再生する光学的情報の再生方法、この方法を実施する装置に関する。
【０００２】
【従来の技術】
レーザ光を用いて光記録媒体の情報トラック上に情報マークを記録し、この情報マークの有無に応じた光学的な変化を検出して情報を再生する光情報記録再生装置において、ランド／グルーブ形状を有する光記録媒体を用いてランド部とグルーブ部の両方に情報トラックを設け、情報を記録し再生するランド／グルーブ記録再生方式がある。従来ではランド部或いはグルーブ部のみに情報を記録していたため、ランド／グルーブ記録再生方式を用いればトラック密度が倍に向上し、その結果、面記録密度を倍に向上させることが出来る。一般的には、トラック密度を向上させると隣接トラックからのクロストークが飛躍的に大きくなるので、トラック間隔をレーザ光の波長λと絞り込みレンズの開口数ＮＡによって略λ／ＮＡで規定される値以下にすることは困難であった。しかし、ランド／グルーブ形状を有する光記録媒体を用いれば、ランド／グルーブ形状を形成する媒体上の溝の幅と深さ等で反射光の回折角を制御することが可能となり、その結果、隣接するトラックからのクロストークを大幅に低減でき、トラック間隔を上記略λ／ＮＡで規定される値以下にすることが可能となった。但し、このランド／グルーブ形状によるクロストーク低減効果が期待できる光記録媒体は、光の位相を変化させず振幅のみを変調する相変化媒体や、光の偏光面を変調する光磁気媒体である。
【０００３】
ところで、このランド／グルーブ形状を有する光記録媒体では、ＩＤピット列が記録されている領域には、ランド／グルーブ構造のような案内溝は形成されていない（図２参照）。これは、グルーブの中にＩＤピット列を形成することが困難であることや、例え形成が成されたとしても、ＩＤピットが光の振幅を変調するのではなく光の位相を変調する性質を持つため、ＩＤピットに関してはランド／グルーブ形状によるクロストーク低減効果が期待できないことによる。ＩＤピットに関してクロストークを抑圧する手段として、図２に示したように２つのＩＤピット列を用意し、トラックの中心に対してずれて配置させる方法がある。これにより、ＩＤピット列に関してはトラックピッチが２倍となり、その分大幅にクロストークが低減できる。ところで、ランド／グルーブ領域におけるクロストーク低減効果を最大にするために、案内溝の溝深さはλ／６前後に設定され、その結果、ＩＤピットの深さもλ／６前後に設定されてしまうことになる。ＩＤピットの再生信号振幅は約λ／４の深さの場合に最大となるので、λ／６前後の深さの場合には十分な再生信号振幅が得られなくなり、再生波形の分解能が低下するという問題が生じる。これを解決するために、媒体から反射したレーザ光を検出してＩＤを再生するための光検出器として２分割光検出器を用い、この２分割検出器から得られる２つの再生信号に基づいて差分信号を生成する方法がとられる（図７参照）。このようにして得られる差分信号においては、ＩＤピットの再生信号振幅が約λ／７の深さの場合に最大となるので約λ／６の深さでも十分な再生信号振幅を得ることが出来るようになり、その結果、高分解の再生波形を得ることが可能となる。
【０００４】
【発明が解決しようとする課題】
セクタアドレスなどを示すＩＤピット列がトラックの中心に対してずれて配置されているような媒体を用いた光学的情報再生装置において、光学系に非点収差やコマ収差等の収差がある場合、フォーカスオフセットが生じた場合、ディスクに傾きが生じた場合、トラックオフセットが生じた場合には、従来の差分信号に基づくＩＤ検出方式では、隣接ＩＤからのクロストークが急激に大きくなり、その結果、ＩＤ検出の精度が急激に低下するという問題があった。以下では、ＩＤ検出方式の特性解析結果に基づいてこの問題点を説明する。
【０００５】
ＩＤ検出方式の特性解析手段として、光ディスク再生過程シミュレーションを行なうジャーナル  オブ  オプティカル  ソサエティー  オブ  アメリカ  ６９、ナンバー１（１９７９年）第４項から第２４項（Ｊ．Ｏｐｔ．Ｓｏｃ．Ａｍ．，Ｖｏｌ．６９，Ｎｏ．１，Ｊａｎｕａｒｙ（１９７９），ＰＰ４−２４）記載のホプキンスの回折計算を用いた。計算に用いるパラメータとして光源波長は６６０ｎｍ、レンズ開口数は０．６、基板厚は０．６ｍｍを仮定した。図２に示したＩＤピット列を構成するピット群として、ピット深さが６７ｎｍ、ピット幅が０．７４μｍ、ピット長が０．９１μｍのピットと、０．７３μｍのギャップが交互に現われるパターン（以下、ＶＦＯパターンと呼ぶ）と、ピット深さが６７ｎｍ、ピット幅が０．７４μｍ、ピット長が２．３５μｍのピットと、２．１６μｍのギャップが交互に現われるパターン（以下、最疎パターンと呼ぶ）を仮定した。光記録媒体の半径方向へ隣接するＩＤ間の距離は１．４８μｍ（トラックピッチは０．７４μｍ）とした。図３はフォーカスオフセットが生じた場合におけるクロストーク特性を示す。クロストークは半径方向へ隣接する両側ＩＤからのＶＦＯパターンの漏れ込み量と、ＶＦＯパターン振幅との比で定義する。破線が従来の差分信号に基づくＩＤ検出方式の特性を示す。一般的に、クロストークが−２０ｄＢ以上になるとクロストークによるジッタ増分が指数関数的に大きくなるので、クロストーク＝−２０ｄＢが評価指標として用いられることが多い。図３からこの評価指標を満足するフォーカスオフセットは−０．６μｍ以上かつ１．０μｍ以内であることが分かる。但し、フォーカスオフセットは原点を中心に扱われることが多く、この観点から言い換えるとフォーカスオフセットは−０．６μｍ以上かつ０．６μｍ以内でなければならない。一方、図５は非点収差が光記録媒体の半径方向にー０．１５λだけ存在する光学系において、フォーカスオフセットが生じた場合のクロストーク特性を示す。破線が従来の差分信号に基づくＩＤ検出方式の特性である。非点収差が光記録媒体の半径方向にー０．１５λだけ存在すると、従来のＩＤ検出方式では、フォーカスオフセットが生じない場合でもクロストークが−２０ｄＢとなってしまうことがわかる。
【０００６】
すなわち、非点収差等が無い理想的な光学系においてフォーカスオフセットは−０．６μｍ以上かつ０．６μｍ以内であることが要求され、もし、非点収差が光記録媒体の半径方向にー０．１５λだけ存在するならば、クロストークを−２０ｄＢ以下にするフォーカスオフセットが存在しないことになってしまう。上記説明ではコマ収差がある場合、ディスクに傾きが生じた場合、トラックオフセットが生じた場合についての説明を省いたが、これらについても非点収差やフォーカスオフセットと同様な問題が生じる。
【０００７】
そこで、本発明の目的は、セクタアドレスなどを示すＩＤピット列がトラックの中心に対してずれて配置されているような媒体を光学的に再生する装置において、光学系に非点収差やコマ収差等の収差がある場合、フォーカスオフセットが生じた場合、ディスクに傾きが生じた場合、トラックオフセットが生じた場合でも、隣接ＩＤからのクロストークが急激に大きくならないＩＤ検出方法と、この方法を実施する装置を提供することにある。
【０００８】
【課題を解決するための手段】
上記目的を達成するために、本発明では、
トラック（１５１）上に情報記録領域（１５７、１５８）が設けられ、セクタ情報を示すマーク列（１５４、１５５）がトラック長手方向の中心に対して左右にずれて配置された光記録媒体（１０４）のマーク列（１５４、１５５）に対応する反射光を複数の検出器（１０７、１０８）で検出し、該複数の検出器（１０７、１０８）の複数の検出信号（１０９、１１０）のうちマークに相当する信号振幅（１０９、１１０の斜線部）の最も大きい検出信号を選択し、該選択により得られた信号（１２１）に基づき再生を行う。これにより、再生信号に大きなマーク信号を得ることができる。
【０００９】
さらに、上記複数の検出信号に基づいて差分信号（１１４）を生成し、該差分信号のレベルに基づいて上記最も大きい検出信号を選択することで、選択のタイミングを得ることができる。
【００１０】
さらに、上記差分信号のエンベロープ信号（１１６）のレベルが第１のレベル（１６１）以上の場合には上記複数の検出信号のうち第１の検出信号を選択し、上記差分信号のレベルが第２のレベル（１６０）以下の場合には上記複数の検出信号のうち第２の検出信号を選択することで、レベルが不安定なとき又はノイズによる選択誤りを防ぐことができる。
【００１１】
さらに、上記情報記録領域の記録情報に対応する複数の検出信号に基づいて和信号（１１３）を生成し、上記エンベロープ信号（１１６）のレベルが上記第１と第２のレベルの間の場合には上記和信号を選択することで、記録情報の大きな再生信号が得られる。
【００１２】
さらに具体的には、
光記録媒体として、セクタアドレスなどを示すＩＤピット列がトラックの中心に対してずれて配置されているような媒体を用い、該媒体上の予め定められた位置にレーザー光を照射し、媒体から反射したレーザ光を検出してＩＤを再生するための光検出器として２分割光検出器を用い、該２分割検出器から得られる２つの再生信号に基づいて差分信号を生成し、該差分信号からＩＤを検出するためのゲート信号を生成し、該ゲート信号に基づいて上記２分割検出器から得られる２つの再生信号のうち一つの信号を選択し、該選択された再生信号に基づきＩＤを検出する。
【００１３】
以下では、上記手段について詳しく説明する。
【００１４】
図１は本発明に従う情報再生装置の一例を示す。光記録媒体１０４には、例えば図２に示したような構造を有する媒体を用いればよい。図２に示した光記録媒体は従来から用いられているランド／グルーブ形状を有する光記録媒体と同じである。光記録媒体１０４には案内溝１５６が設けられてあり、案内溝内をグルーブ１５８と呼び案内溝間に挟まれた領域をランド１５７と呼ぶ。セクタアドレスなどを示すＩＤピット列１５４及び１５５は、グルーブ１５８やランド１５７の真ん中（トラック１５１）に対してずれて配置されており、ＩＤピット列が存在する領域には案内溝１５６が設けられていない。情報マーク１５２はグルーブ１５８やランド１５７におけるトラック１５１上に記録されている。
【００１５】
次に、図２を用いて光記録媒体１０４からの反射光を検出してＩＤを再生するための光検出器と、該光検出器から得られる再生信号の関係について説明する。ＩＤを再生するための光検出器として、光検出器Ａ１０７と光検出器Ｂ１０８から成る２分割光検出器を用いる。この２分割光検出器は上記プッシュプルサーボ方式を採用する場合に用いられる２分割光検出器と同じ配置である。次に、この２分割光検出器によって得られるＩＤピット列１５４及び１５５の再生信号と情報マーク１５２の再生信号について説明する。但し、光スポット１５３はランド１５７のトラック１５１上を走査する場合を仮定する。光スポット１５３がランド１５７のトラック１５１上を走査することによって得られる再生信号は、再生信号Ａ１０９と再生信号Ｂ１１０のようになる。ここで、再生信号Ａ１０９が光検出器Ａ１０７から得られる再生信号で、再生信号Ｂ１１０が光検出器Ｂ１０８から得られる再生信号である。次に再生信号Ａ１０９と再生信号Ｂ１１０を加算し、和信号１１３を生成する。情報マーク１５２はトラック１５１上に記録されているので、再生信号Ａ１０９と再生信号Ｂ１１０に含まれている情報マーク１５２に相当する部分の再生信号波形は、一般的に振幅及び位相ともに等しい。従って、再生信号Ａ１０９や再生信号Ｂ１１０よりも和信号１１３の方が、情報マーク１５２に相当する部分の再生信号振幅が大きく得られる。一方、再生信号Ａ１０９と再生信号Ｂ１１０に含まれているＩＤピット列１５４に相当する部分の再生信号波形は、一般的に振幅及び位相ともに等しくない。従って、再生信号Ａ１０９や再生信号Ｂ１１０よりも和信号１１３の方が、ＩＤピット列１５４に相当する部分の再生信号振幅が小さくなってしまう。これはＩＤピット列１５５についても全く同様である。ＩＤピット列に相当する部分の再生信号振幅を大きくするために、再生信号Ａ１０９と再生信号Ｂ１１０の差分として得られる差信号１１４を生成する。このとき、差分を得ることで再生信号Ａ１０９と再生信号Ｂ１１０で情報マーク１５２に相当する部分の再生信号振幅が互いに打ち消しあうので、差信号１１４には情報マーク１５２に相当する部分の再生信号波形が存在しなくなる。この差信号１１４に基づいて差信号１１４エンベロープに相当するエンベロープ信号１１６を生成し、これをＩＤスライスレベルＡ１６０とＢ１６１により２値化することによりＩＤゲートＡ１１８とＩＤゲートＢ１１９を生成する。あとはＩＤゲートＡ１１８とＩＤゲートＢ１１９に基づいて、入力してくる３つの信号のうち１つを選択すればよい。すなわち、ＩＤゲートＡ１１８がレベル’Ｈ’ならば再生信号Ａ１０９を選択し、ＩＤゲートＢ１１９がレベル’Ｈ’ならば再生信号Ｂ１１０を選択し、ＤゲートＡ１１８とＩＤゲートＢ１１９が共にレベル’Ｌ’ならば和信号１１３を選択する。この結果として、再生信号１２１が生成される。以上は光スポット１５３がランド１５７のトラック１５１上を走査する場合における説明であったが、光スポット１５３がグルーブ１５８のトラック１５１上を走査する場合に得られる再生信号形状は、上記ＩＤピット列１５４に対応していた再生波形とＩＤピット列１５５に対応していた再生波形を入れ替えたものに相当する。
【００１６】
従来の差分信号に基づくＩＤ検出方式では、この差信号１１４を用いてセクタを管理するＩＤの検出を行っていた。本発明は、この差信号１１４に基づいてＩＤの検出を行うのではなく、この差分信号１１４からＩＤを検出するためのゲート信号を生成し、このゲート信号に基づいて上記２分割検出器から得られる２つの再生信号のうち一つの信号を選択し、この選択された再生信号１２１に基づきＩＤを検出するところに特徴がある。
【００１７】
本発明に係るＩＤ検出方法では、光記録媒体として、セクタアドレスなどを示すＩＤピット列がトラックの中心に対してずれて配置されているような媒体を用い、該媒体上の予め定められた位置にレーザー光を照射し、媒体から反射したレーザ光を検出してＩＤを再生するための光検出器として２分割光検出器を用い、該２分割検出器から得られる２つの再生信号に基づいて差分信号を生成し、該差分信号からＩＤを検出するためのゲート信号を生成し、該ゲート信号に基づいて上記２分割検出器から得られる２つの再生信号のうち一つの信号を選択し、該選択された再生信号に基づきＩＤを検出する。以下では、従来のＩＤ検出方式に対する本発明のＩＤ検出方式の優位性を説明する。
【００１８】
本発明におけるＩＤ検出方式の特性解析手段としては上記ホプキンスの回折計算を用いた。計算に用いるパラメータは発明が解決しようとする課題で示した値と全く同様である。図３はフォーカスオフセットが生じた場合におけるクロストーク特性を示す。実線が本発明におけるＩＤ検出方式の特性を示し、破線が従来におけるＩＤ検出方式の特性を示す。従来のＩＤ検出方式では、フォーカスオフセット＝−０．６μｍにおいてクロストークが−２０ｄＢとなるが、本発明のＩＤ検出方式では、フォーカスオフセット±１．０μｍ以内ではクロストークが−２０ｄＢとなることはない。図４はフォーカスオフセットが生じた場合における分解能特性を示す。分解能はＶＦＯパターンの振幅と、最疎パターンの振幅との比で定義する。実線が本発明におけるＩＤ検出方式の特性を示し、破線が従来におけるＩＤ検出方式の特性を示す。本発明のＩＤ検出方式は、従来のＩＤ検出方式と比べて、フォーカスオフセット＝−０．６μｍにおいて０．５ｄＢ程度分解能が小さくなるが、全体的にほぼ同等の特性となる。すなわち、本発明におけるＩＤ検出方式を用いれば、従来の方式と比較して分解能はほぼ同等の特性であるのに対して、クロストークが大幅に改善されることがわかる。
【００１９】
図５は非点収差がある光学系においてフォーカスオフセットが生じた場合におけるクロストーク特性を示す。実線が本発明におけるＩＤ検出方式の特性を示し、破線が従来におけるＩＤ検出方式の特性を示す。従来のＩＤ検出方式では、フォーカスオフセットが生じない場合でもクロストークが−２０ｄＢとなるが、本発明のＩＤ検出方式では、フォーカスオフセット±１．０μｍ以内ではクロストークが−２０ｄＢとなることはない。図６は非点収差がある光学系においてフォーカスオフセットが生じた場合における分解能特性を示す。実線が本発明におけるＩＤ検出方式の特性を示し、破線が従来におけるＩＤ検出方式の特性を示す。本発明のＩＤ検出方式は、従来のＩＤ検出方式と比べて、フォーカスオフセット＝０．６μｍにおいて０．５ｄＢ程度分解能が大きくなるが、全体的にほぼ同等の特性となる。すなわち、非点収差がある光学系においても、本発明におけるＩＤ検出方式を用いれば、従来の方式と比較して分解能はほぼ同等の特性であるのに対して、クロストークが大幅に改善されることがわかる。
【００２０】
（実施例）
以下、本発明に係る光学的情報再生方法及び装置並びにこれに用いる光記録媒体を、図面に記載したいくつかの実施例を参照してさらに詳細に説明する。なお、以下においては、同じ参照番号は同じものもしくは類似のものを表わすものとする。
【００２１】
図１は本発明に従う情報再生装置の一例を示す。光記録媒体１０４には、例えば図２に示したような構造を有する媒体を用いればよい。図２に示した光記録媒体は従来から用いられているランド／グルーブ形状を有する光記録媒体と同じである。光記録媒体１０４には案内溝１５６が設けられてあり、案内溝内をグルーブ１５８と呼び案内溝間に挟まれた領域をランド１５７と呼ぶ。セクタアドレスなどを示すＩＤピット列１５４及び１５５は、グルーブ１５８やランド１５７の真ん中（トラック１５１）に対してずれて配置されており、ＩＤピット列が存在する領域には案内溝１５６が設けられていない。情報マーク１５２はグルーブ１５８やランド１５７におけるトラック１５１上に記録されている。
【００２２】
光記録媒体１０４上に記録されたＩＤピット列１５４及び１５５や情報マーク１５２を再生するために、レーザ１００から発せられた光を対物レンズ１０３とアクチュエータ１５２を用いて最小のスポット径でかつ光記録媒体上の所定の位置に照射しなければならない。まず、光記録媒体上に最小のスポット径でレーザ光を照射する手段について説明する。光記録媒体の表面は平面ではなく反りが存在するため、光記録媒体を回転させて記録再生を行う場合、絞り込みレンズと光記録媒体間の距離が回転と共に０．２〜０．３ｍｍ程度変化してしまう。絞り込みレンズの焦点深度は±１μｍ程度しかないので、上記距離の変化は、最小の光スポットを形成する妨げになる。このような距離の変化に追従して最小のスポットを形成するための手段が、オートフォーカスサーボ方式であり、光記録媒体を回転させて記録再生を行う場合の必須の技術である。フォーカスサーボの手段としては、非点収差法やナイフエッジ法などが知られている。光記録媒体上に形成される光スポットの最小の直径が、レーザ光の波長λと絞り込みレンズの開口数ＮＡによって略λ／ＮＡで規定される値になるように、アクチュエータ１０５を用いてフォーカスサーボが行われる。
【００２３】
次に、光記録媒体上の予め定められた場所にスポットを位置付ける手段について説明する。光記録媒体の中心穴の偏芯やトラックの偏芯が存在するため、光記録媒体を回転させて記録再生を行う場合、スポットに対して回転と共に０．１５〜０．２２ｍｍ程度偏芯が生じてしまう。このような距離の変化に追従してスポットの位置を制御する手段が、トラッキングサーボ方式であり、フォーカスサーボ方式と共に光記録媒体を回転させて記録再生を行う場合の必須の技術である。トラッキングサーボの手段としては、案内溝からの回折光分布をトラック中心に対して対称に配置された２分割光検出器によって受光部における差分信号を検出し、この差を小さくするように閉ループサーボを行うプッシュプルサーボ方式を用いることができる。本実施例では光スポット１５３の中心がトラック１５１上を走査するように、アクチュエータ１０５を用いてプッシュプルサーボ方式に従うトラッキングサーボを行う。
【００２４】
次に、図１を用いて光記録媒体１０４からの反射光を検出してＩＤを再生するための光検出器と、該光検出器から得られる再生信号の関係について説明する。ＩＤを再生するための光検出器として、光検出器Ａ１０７と光検出器Ｂ１０８から成る２分割光検出器を用いる。この２分割光検出器は上記プッシュプルサーボ方式を採用する場合に用いられる２分割光検出器と同じ配置である。まず、光スポット１５３はランド１５７のトラック１５１上を走査する場合を仮定する。このとき再生信号は、再生信号Ａ１０９と再生信号Ｂ１１０のようになる。ここで、再生信号Ａ１０９が光検出器Ａ１０７から得られる再生信号で、再生信号Ｂ１１０が光検出器Ｂ１０８から得られる再生信号である。加算器１１１は再生信号Ａ１０９と再生信号Ｂ１１０を加算し、和信号１１３を生成する。情報マーク１５２はトラック１５１上に記録されているので、再生信号Ａ１０９と再生信号Ｂ１１０に含まれている情報マーク１５２に相当する部分の再生信号波形は、一般的に振幅及び位相ともに等しい。従って、図２に示した様に再生信号Ａ１０９や再生信号Ｂ１１０よりも和信号１１３の方が、情報マーク１５２に相当する部分の再生信号振幅が大きく得られる。一方、再生信号Ａ１０９と再生信号Ｂ１１０に含まれているＩＤピット列１５４に相当する部分の再生信号波形は、一般的に振幅及び位相ともに等しくない。従って、図２に示した様に再生信号Ａ１０９や再生信号Ｂ１１０よりも和信号１１３の方が、ＩＤピット列１５４に相当する部分の再生信号振幅が小さくなってしまう。これはＩＤピット列１５５についても全く同様である。ＩＤピット列に相当する部分の再生信号振幅を大きくするために、差分器１１２は再生信号Ａ１０９と再生信号Ｂ１１０の差分として得られる差信号１１４を生成する。このとき、図２に示した様に差分を得ることで再生信号Ａ１０９と再生信号Ｂ１１０で情報マーク１５２に相当する部分の再生信号振幅が互いに打ち消しあうので、差信号１１４には情報マーク１５２に相当する部分の再生信号波形が存在しなくなる。この差信号１１４はバンドパスフィルタ１１５入力され、差信号１１４のエンベロープに相当するエンベロープ信号１１６が生成される。ゲート生成回路１１７はエンベロープ信号１１６を２値化することによりＩＤゲートＡ１１８とＩＤゲートＢ１１９を生成する。マルチプレクサ１２０はＩＤゲートＡ１１８とＩＤゲートＢ１１９に基づいて、入力してくる３つの信号のうち１つを選択して出力する。すなわち、ＩＤゲートＡ１１８がレベル’Ｈ’ならば再生信号Ａ１０９を選択して出力し、ＩＤゲートＢ１１９がレベル’Ｈ’ならば再生信号Ｂ１１０を選択して出力し、ＤゲートＡ１１８とＩＤゲートＢ１１９が共にレベル’Ｌ’ならば和信号１１３を選択して出力する。この結果として、再生信号１２１が出力され、この信号が信号処理回路１２２で波形等化やＰＬＬなどの信号処理を受け、２値化された２値化信号１２３が生成される。２値化信号１２３は論理処理回路１２４に入力され、予め定められた変換規則によって復調され復調データ１２５が出力される。復調データ１２５は、図示しない上位制御回路に送られ、上位制御回路は復調データ１２５に基づきＩＤや記録されていた情報を検出し、その結果に従ってアクチュエータ１０５やレーザ１００の制御を行う。以上は光スポット１５３がランド１５７のトラック１５１上を走査する場合における説明であったが、光スポット１５３がグルーブ１５８のトラック１５１上を走査する場合に得られる再生信号形状は、上記ＩＤピット列１５４に対応していた再生波形とＩＤピット列１５５に対応していた再生波形を入れ替えたものに相当する。
【００２５】
以上、本発明の好適な実施例について説明したが、本発明は上記実施例に限定されることなく、本発明の精神を逸脱しない範囲内において種々の設計変更をなし得ることは勿論である。
【００２６】
【発明の効果】
前述した実施例から明らかなように、本発明によれば、２分割検出器から得られる２つの再生信号の差分信号を用いるのではなく、２分割検出器から得られる２つの再生信号のうち一つの信号を選択し、該選択された再生信号に基づきＩＤを検出することによって、光学系に非点収差やコマ収差等の収差がある場合、フォーカスオフセットが生じた場合、ディスクに傾きが生じた場合、トラックオフセットが生じた場合でも、隣接ＩＤからのクロストークが急激に大きくならないので精度のよいＩＤの検出が可能となり、更にトラック間隔を狭めて記録密度の向上を図ることができる。
【図面の簡単な説明】
【図１】本発明に係る光情報再生装置の一実施例を示す概略構成図である。
【図２】本発明に係る光情報記録再生装置で用いる光学的情報記録媒体と、光情報記録再生装置における信号の関係を示す図である。
【図３】本発明に係る光情報記録再生方法および装置の効果を示す図である。
【図４】本発明に係る光情報記録再生方法および装置の効果を示す図である。
【図５】本発明に係る光情報記録再生方法および装置の効果を示す図である。
【図６】本発明に係る光情報記録再生方法および装置の効果を示す図である。
【図７】従来技術に係る光情報再生装置を示す図である。
【符号の説明】
１００…レーザ、１０１…コリメータレンズ、１０２…ビームスプリッタ、１０３…対物レンズ、１０４…光記録媒体、１０５…アクチュエータ、１０６…集光レンズ、１０７…光検出器Ａ、１０８…光検出器Ｂ、１０９…再生信号Ａ、１１０…再生信号Ｂ、１１１…加算器、１１２…差分器、１１３…和信号、１１４…差信号、１１５…バンドパスフィルタ、１１６…エンベロープ信号、１１７…ゲート生成回路、１１８…ＩＤゲートＡ、１１９…ＩＤゲートＢ、１２０…マルチプレクサ、１２１…再生信号、１２２…信号処理回路、１２３…２値化信号、１２４…論理処理回路、１２５…復調データ、１５１…トラック、１５２…情報マーク、１５３…光スポット、１５４…ＩＤピット列１、１５５…ＩＤピット列２、１５６…案内溝、１５７…ランド、１５８…グルーブ、１６０…ＩＤスライスレベルＡ、１６１…ＩＤスライスレベルＢ。
【図１】
0003671606.tif 000002
【図２】
0003671606.tif 000003
【図３】
0003671606.tif 000004
【図４】
0003671606.tif 000005
【図５】
0003671606.tif 000006
【図６】
0003671606.tif 000007
【図７】
0003671606.tif 000008